(57)【特許請求の範囲】
【請求項１】
浴室側と脱衣室側との間を開閉する扉に設けられ、浴室側と脱衣室側との間を連通する換気通路と、該換気通路を開閉するガラリ部材とを有するガラリ構造を備えた浴室建具であって、
前記ガラリ部材の両端部又は前記扉の縦框側の何れか一方に設けられる少なくとも２つの係合ピンと、
前記ガラリ部材の両端部又は前記扉の縦框側の何れか他方に設けられ、前記係合ピンをそれぞれ係合させる係合溝とを有し、
該係合溝は、上下方向を向く直線部と、該直線部に連続する該直線部から脱衣室側に湾曲する湾曲部とを備え、
前記ガラリ部材は、前記扉に対して上方にスライドすることにより、下端が上端よりも前記浴室側に突出するように傾斜して浴室側にせり出して前記換気通路を開き、
前記換気通路を開いた状態から前記扉に対して下方にスライドして、前記換気通路が閉塞されるように構成されていることを特徴とする浴室建具。
【請求項２】
前記扉は、左右一対の縦框と上框と下框と中桟とを框組みして構成され、前記左右一対の縦框と中桟と下框とによって囲まれる部分、又は前記左右一対の縦框と中桟と上框とによって囲まれる部分に前記換気通路が設けられ、該換気通路の浴室側の開口部が前記ガラリ部材によって開閉されることを特徴とする請求項１に記載の浴室建具。
【請求項３】
前記ガラリ部材が前記換気通路の開口部を閉塞したときに、前記ガラリ部材の表面と前記左右一対の縦框、中桟、下框、及び上框の表面とが面一となるように構成されていることを特徴とする請求項２に記載の浴室建具。
【請求項４】
前記係合ピンは、前記ガラリ部材の両端部又は前記扉の縦框側の何れか一方に取り付けられる係合部材に設けられ、前記係合溝は、前記ガラリ部材の両端部又は前記扉の縦框側の何れか他方に取り付けられる被係合部材に設けられ、前記係合部材と前記被係合部材とにより、前記ガラリ部材を支持する支持手段が構成されていることを特徴とする請求項１〜３の何れかに記載の浴室建具。
【請求項５】
前記係合ピンは前記係合溝内に着脱可能に構成され、該係合ピンを前記係合溝内に着脱させることにより、前記ガラリ部材が前記扉に着脱自在に構成されていることを特徴とする請求項１〜４の何れかに記載の浴室建具。
【発明の詳細な説明】
【技術分野】
【０００１】
本発明は、浴室側と脱衣室側との間を連通する換気通路と、換気通路を開閉するガラリ部材とを有するガラリ構造を備えた浴室建具に関する。
【背景技術】
【０００２】
従来、浴室内を換気させるために、浴室の出入口を開閉する浴室ドア、浴室折戸、浴室引戸等の下部にガラリ構造を設け、ガラリ構造の換気通路を介して浴室内を常時換気させたり、必要に応じてガラリ構造の換気通路を開放させて換気させることが行われている。
【０００３】
例えば、特許文献１には、浴室折戸の下部の両縦框間に上側構成材と中間構成材と下側構成材とを設け、上側構成材と中間構成材との間に上換気通路を形成し、中間構成材と下側構成材との間に下換気通路を形成し、中間構成材を浴室側に滑り出させることにより、上換気通路及び下換気通路を開放させるように構成したガラリ構造が記載されている。
【０００４】
さらに、特許文献２には、扉の下部に通気口を設け、この通気口を開閉する開閉板を扉の通気口の縁部に回動自在に設けたガラリ構造が記載されている。
【特許文献１】特開２００５−４２３０６号公報
【特許文献２】特開平１１−６２４０８号公報
【発明の開示】
【発明が解決しようとする課題】
【０００５】
しかし、特許文献１及び２に記載されているガラリ構造は、換気通路及び通気口が入り組んで設けられているため、換気通路及び通気口の隅々に汚れが溜まり易いが、構造が複雑であるために清掃性が非常に悪く、隅々まで綺麗に清掃することができない。また、ガラリ構造の換気通路及び通気口が入り組んでいるために、換気効率が非常に悪く、大容量の換気扇を使用した場合に、扉が開いてしまう問題がある。
【０００６】
本発明は、上記のような従来の問題に鑑みなされたものであって、構造が簡単で汚れが溜まりにくく、清掃性が非常に高く、隅々まで綺麗に清掃できるとともに、換気効率が高く、大容量の換気扇を使用しても扉が開くようなことがない浴室建具を提供することを目的とする。
【課題を解決するための手段】
【０００７】
本発明は、上記のような課題を解決するために、以下のような手段を採用している。
すなわち、請求項１に係る発明は、浴室側と脱衣室側との間を開閉する扉に設けられ、浴室側と脱衣室側との間を連通する換気通路と、該換気通路を開閉するガラリ部材とを有するガラリ構造を備えた浴室建具であって、前記ガラリ部材の両端部又は前記扉の縦框側の何れか一方に設けられる少なくとも２つの係合ピンと、前記ガラリ部材の両端部又は前記扉の縦框側の何れか他方に設けられ、前記係合ピンをそれぞれ係合させる係合溝とを有し、
該係合溝は、上下方向を向く直線部と、該直線部に連続する該直線部から脱衣室側に湾曲する湾曲部とを備え、前記ガラリ部材は、前記扉に対して上方にスライドすることにより、下端が上端よりも前記浴室側に突出するように傾斜して浴室側にせり出して前記換気通路を開き、前記換気通路を開いた状態から前記扉に対して下方にスライドして、前記換気通路が閉塞されるように構成されていることを特徴とする。
【０００８】
本発明による浴室建具によれば、ガラリ部材は、扉に対して上下方向にスライドすると共に、下端が上端よりも浴室側に突出するように傾斜して浴室側にせり出し、換気通路を開くように構成されているので、ガラリ部材を回動させて換気通路を開くタイプのものに比べて開口面積を大きく確保して換気効率を高めることができる。
また、ガラリ部材は、ガラリ部材側又は扉の縦框側の何れか一方に設けられる少なくとも２つの係合ピンがガラリ部材側又は扉の縦框側の何れか他方に設けられる係合溝内をその形状に沿ってスライドすることにより、上下方向にスライドすると共に、下端が上端よりも浴室側に突出するように傾斜して浴室側にせり出し、換気通路の開口部を開くことになる。従って、ガラリ部材を回動させて換気通路を開くタイプのものに比べて換気効率を高めることができる。
【０００９】
また、請求項２に係る発明は、請求項１に記載の浴室建具であって、前記扉は、左右一対の縦框と上框と下框と中桟とを框組みして構成され、前記左右一対の縦框と中桟と下框とによって囲まれる部分、又は前記左右一対の縦框と中桟と上框とによって囲まれる部分に前記換気通路が設けられ、該換気通路の浴室側の開口部が前記ガラリ部材によって開閉されることを特徴とする。
【００１０】
本発明による浴室建具によれば、浴室側と脱衣室側との間を連通する換気通路は、換気通路の浴室側に設けられているガラリ部材を上下方向にスライドさせると共に、下端が上端よりも浴室側に突出するように傾斜させて浴室側にせり出させることにより開放され、それと逆の手順により閉塞されることになる。
【００１１】
さらに、請求項３に係る発明は、請求項２に記載の浴室建具であって、前記ガラリ部材が前記換気通路の開口部を閉塞したときに、前記ガラリ部材の表面と前記左右一対の縦框、中桟、下框、及び上框の表面とが面一となるように構成されていることを特徴とする。
【００１２】
本発明による浴室建具によれば、ガラリ部材によって換気通路の開口部を閉塞したときに、ガラリ部材の表面と左右一対の縦框、中桟、下框、及び上框の表面とが面一になるので、扉の浴室側の面を平面にすることができ、清掃性を高めることができる。
【００１７】
さらに、請求項４に係る発明は、請求項１〜３の何れかに記載の浴室建具であって、前記係合ピンは、前記ガラリ部材の両端部又は前記扉の縦框側の何れか一方に取り付けられる係合部材に設けられ、前記係合溝は、前記ガラリ部材の両端部又は前記扉の縦框側の何れか他方に取り付けられる被係合部材に設けられ、前記係合部材と前記被係合部材とにより、前記ガラリ部材を支持する支持手段が構成されていることを特徴とする。
【００１８】
本発明による浴室建具によれば、ガラリ部材側又は扉の縦框側の何れか一方に取り付けられる係合部材の係合ピンをガラリ部材側又は扉の縦框側の何れか他方に取り付けられる被係合部材の係合溝内に係合させることにより、ガラリ部材が係合溝の形状に沿って上下方向にスライドすると共に、下端が上端よりも浴室側に突出するように傾斜して浴室側にせり出し、換気通路の開口部を開放させることになる。
【００１９】
さらに、請求項５に係る発明は、請求項１〜４の何れかに記載の浴室建具であって、前記係合ピンは前記係合溝内に着脱可能に構成され、該係合ピンを前記係合溝内に着脱させることにより、前記ガラリ部材が前記扉に着脱自在に構成されていることを特徴とする。
【００２０】
本発明による浴室建具によれば、係合ピンを係合溝内に着脱させることにより、ガラリ部材を扉に着脱させることができるので、清掃の際の作業性を高めることができる。
【発明の効果】
【００２１】
以上、説明したように、本発明の浴室建具によれば、ガラリ部材は、扉に対して上下方向にスライドするとともに、下端が上端よりも浴室側に突出するように傾斜して浴室側にせり出し、換気通路を開くことになるので、ガラリ部材を回動させて換気通路を開くタイプのもののように、ガラリ部材が換気通路内に位置するようなことはなく、換気効率を大幅に高めることができる。従って、大容量の換気扇を使用した場合であっても換気を十分に行うことができるので、扉が開くようなことはない。
さらに、ガラリ部材によって換気通路の開口部を閉塞した場合に、扉の浴室側の面を平面にすることができるので、清掃性を高めることができる。
さらに、換気通路内にガラリ部材が位置していないので、換気通路内の構造を簡素化することができ、換気通路内に汚れが溜るのを防止できるとともに、換気通路内の清掃性を高めることができる。
さらに、ガラリ部材は、扉に対して着脱自在に構成されているので、清掃の際の作業性を高めることができる。
【発明を実施するための最良の形態】
【００２２】
以下、図面に示す本発明の一実施の形態について説明する。
図１〜図４には、本発明による浴室建具の一実施の形態が示されていて、図１は浴室側から見た浴室折戸４の姿図であり、図２は図１の横断面図、図３は図１の縦断面図、図４は図３の部分拡大図である。なお、図３及び図４においては、後述するガラリ部材４３を取り付けた状態を実線で示し、取り外した状態を破線で示している。
【００２３】
すなわち、本実施の形態の浴室建具１は、浴室２と脱衣室３との間に設けられる浴室折戸４に適用したものであって、浴室２と脱衣室３との間を連通する矩形状の開口部５に設けられる折戸枠６と、折戸枠６の内側に開閉自在に設けられる扉１１と、扉１１の下端部に設けられるガラリ構造３９とを備えている。
【００２４】
折戸枠６は、アルミニウム形材等からなる上枠７、下枠８、及び左右一対の縦枠９、９を枠組みして構成したものであって、浴室２と脱衣室３との間の開口部５内周面に水密に取り付けられ、この折戸枠６の内側の部分に浴室２と脱衣室３との間を相互に連通する矩形状の出入口１０が形成される。
【００２５】
扉１１は、図１及び図２に示すように、右扉体１２と、左扉体１３と、両扉体１２、１３を中折れ自在に連結する連結部材１４とから構成され、右扉体１２の戸尻側の部分を中心として、左扉体１３を折戸枠６に沿ってスライドさせながら浴室２内に折り込むことにより出入口１０が開放され、また逆の手順により出入口１０が閉塞される。
【００２６】
右扉体１２及び左扉体１３は、アルミニウム形材等からなる上框１６、下框１７、中桟１８、及び左右一対の縦框２７、２７を枠組みし、上框１６と中桟１８と左右一対の縦框２７、２７とによって囲まれる部分に樹脂製又はガラス製の面材１５を組み込み、中桟１８と下框２７と左右一対の縦框２７、２７とによって囲まれる部分に浴室２内を換気させるためのガラリ構造３９を構成したものである。
【００２７】
左扉体１３の浴室２側の左右一対の縦框２７、２７間には把手２６が取り付けられ、この把手２６を手で掴んで左扉体１３を操作することにより出入口１０を開閉することができる。把手２６は、タオル掛けを兼用している。
【００２８】
ガラリ構造３９は、図３及び図４に示すように、右扉体１２及び左扉体１３の中桟１８と下框１７と左右一対の縦框２７、２７とによって囲まれる開口部分に、浴室２側と脱衣室３側との間を連通する換気通路４０を形成し、この換気通路４０の浴室２側の開口部にガラリ部材４３を着脱自在に取り付けることにより開閉するように構成したものである。
【００２９】
下框１７は、中空状の本体部２８と、本体部２８の脱衣室３側の上端から上方に延出する起立板３４と、本体部２８の脱衣室３側の下端から下方に延出する後垂下板３６と、本体部２８の浴室２側の下端から下方に延出する前垂下板３７とから構成されている。
【００３０】
本体部２８は、上板２９と、下板３０と、上板２９と下板３０とを浴室２側の端部で連結する前板３１と、上板２９と下板３０とを脱衣室３側の端部で連結する後板３３とから構成されている。なお、以下においては、浴室２側を前側といい、脱衣室３側を後側という。
【００３１】
上板２９は、脱衣室３側から浴室２側に向けて下側に傾斜する傾斜面に形成され、この上板２９と上板２９の後端に設けられる起立板３４とによって水返し部３８が形成される。この水返し部３８によって浴室２側から脱衣室３側に湯水が浸入するのが防止される。
【００３２】
前板３１の上端部には、後板３３に向けて凹む段部３２が前板３１の全幅に亘って設けられ、この段部３２内に指を挿入することにより、後述するガラリ部材４３を開閉させる際にガラリ部材４３の端部を手で掴み易くしている。前板３１の段部３２の底部は、後板３３側から前板３１側に向けて下側に傾斜する傾斜面に形成され、この傾斜面によって浴室２側から段部３２内に浸入する水（又は湯）を浴室２側に排出し易くしている。
【００３３】
中桟１８は、アルミニウム形材等から形成されるものであって、図３及び図４に示すように、中空状の本体部１９と、本体部１９の浴室２側の上端から上方に延出する起立板２５とから構成され、この中桟１８と前述した下框１７との間に浴室２側と脱衣室３側との間を連通する換気通路４０が形成される。
【００３４】
本体部１９は、上板２０と、下板２１と、上板２０と下板２１とを浴室２側の端部で連結する前板２２と、上板２１と下板２１とを脱衣室３側の端部で連結する後板２４とから構成され、後板２４の下端は下板２１よりも僅かに下方に突出している。
【００３５】
本体部１９の下板２１は、後板２４に隣接する部分が略水平に形成されるとともに、その部分よりも前板２２側の部分が前板２２に向けて下方に傾斜した傾斜面に形成されている。
【００３６】
本体部１９の前板２２の下端部には、後板２４に向けて凹む凹部２３が前板２２の全幅に亘って設けられ、後述するガラリ部材４３を閉じた際に、この凹部２３内にガラリ部材４３の上端部が係合されることで、ガラリ部材４３の表面と中桟１８の前板２２の表面とが面一となるように構成されている。
【００３７】
中桟１８の本体部１９の下板２１の下面と、下框１７の本体部２８の上板２９の上面との間には上記した換気通路４０が形成され、この換気通路４０は、下框１７の本体部２８の上板２９の浴室２側端部と中桟１８の本体部１９の下板２１の浴室２側端部との間に形成される流入口４１を介して浴室２側に連通し、中桟１８の本体部１９の後板２４の下端と下框１７の起立板３４の上端との間に形成される流出口４２を介して脱衣室３側に連通している。すなわち、通気通路４０は、後述するガラリ部材４３を取り外した状態では、浴室２側の全面が流入口４１によって開口され、脱衣室３側の上端部が流出口４２を介して開口することになる。換気通路４０の流入口４１は、後述するガラリ部材４３の操作によって開閉される。
【００３８】
ガラリ部材４３は、図５及び６に示すように、略長方形板状に形成されるものであって、両端部が後述する支持手段４６によって両縦框２７、２７間に着脱自在、かつ上向きにスライドすると共に、下端が上端よりも浴室２側に突出するように傾斜して浴室２側にせり出した状態に支持され、このガラリ部材４３を操作することにより換気通路４０の流入口４１が開閉される。なお、換気通路４０の流出口４２は常時開放されている。
【００３９】
ガラリ部材４３は、換気通路４０の流入口４１の全体を閉塞し得る大きさに形成され、図３及び図４に示すように、上端部が中桟１８の本体部１９の前板２２の段部２３内に係合され、下端部が下框１７の本体部２８上板２９の前端に当接することにより、換気通路４０の流入口４１を閉塞する。
【００４０】
ガラリ部材４３の下端部には、浴室２側に突出する所定の曲率の湾曲部４４が全幅に亘って形成され、この湾曲部４４が下框１７の前板３１の段部３２前方に位置している。このため、段部３２内に指を挿入してガラリ部材４３の下端部を掴むことにより、ガラリ部材４３を上方にスライドさせることができる。
【００４１】
ガラリ部材４３の裏面側には、上下に一対の下方及び側方（縦框２７の方向）が開口するＬ形状の被係合部４５が設けられ、この被係合部４５内にガラリ部材４３の両側端部に取り付けられる後述する係合部材４７の係合片５５が係合される。
【００４２】
支持手段４６は、図８〜図１２に示すように、ガラリ部材４３の両端部にそれぞれ取り付けられる係合部材４７と、係合部材４７に対応する左右一対の縦框２７、２７の内側面に取り付けられる被係合部材５６とからなり、ガラリ部材４３の両端部の係合部材４７、４７を左右一対の縦框２７、２７の被係合部材５６、５６にそれぞれ係合させることにより、ガラリ部材４３が上向きにスライドするとともに、下端が上端よりも浴室２側に突出して浴室２側にせり出した状態に支持される。
【００４３】
係合部材４７は、図９及び図１０に示すように、上下一対の係合ピン４９、４９が設けられるピン支持部４８と、ピン支持部４８と一体に形成される固定部５０とからなり、図８に示すように、固定部５０をガラリ部材４３の端部に固定することにより、係合部材４７がガラリ部材４３の端部に取り付けられる。
【００４４】
固定部５０は、ガラリ部材４３の端部に取り付けた際にガラリ部材４３の浴室２側の表面と面一となる表板５４と、表板５４から側方に突出する上下方向に所定の間隔ごとに設けられる、前述したガラリ部材４３の被係合部４５と合致する形状の２つの係合片５５、５５とからなり、各係合片５５をガラリ部材４３の裏面側の被係合部４５内に係合させ、表板５４をガラリ部材４３の端部の端面に密着させることにより、係合部材４７がガラリ部材４３の両側端部に取り付けられる。この場合、各係合片５５を必要に応じて被係合部４５に接着剤、ねじ等により固定してもよい。また、ガラリ部材４３の被係合部４５は、略Ｌ形状に限らず、他の形状としてもよい。
【００４５】
ピン支持部４８は、固定部５０の表板５４の裏面側に一体に立設される側板５１を備えている。側板５１には、切込み５３が設けられ、この切込み５３により側板５１が上部５１ａと下部５１ｂとに分離されている。上部５１ａの片面（ガラリ部材４３に取り付けられる面）には、その縁部に沿って補強壁５２が立設されており、補強壁５２の上側の角部に上側の係合ピン４９が一体に形成されている。また、側板５１の下部５１ｂの下端部に下側の係合ピン４９が一体に形成されている。なお、上記の切り込み５３によって下側の係合ピン４９が側板５１の厚み方向に変位可能となっている。
【００４６】
被係合部材５６は、図１１及び図１２に示すように、略直方体状をなすものであって、図８に示すように、縦框２７の内側面に形成される図示しない溝内に一部を残してほぼ全体が嵌合される。この場合、被係合部材５６を必要に応じて縦框２７側にねじ、接着剤等により固定してもよい。
【００４７】
被係合部材５６の上面には、Ｖ形状の係合溝５７が設けられ、この係合溝５７内に中桟１８の本体部１９の下板２１が係合される。被係合部材５６の後面６５の上端部には一段低い段部５８が設けられ、この段部５８内に中桟１８の本体部１９の後板２４の下端部が係合される。被係合部材５６の後面６５の中間部には、所定の幅、深さの係合溝５９が被係合部材５６の全幅に亘って設けられ、この係合溝５９内に下框１７の起立板３４の上端部が係合される。
【００４８】
被係合部材５６の係合部材４７と向き合う側の側面６６には、上下一対の係合溝６０、６０が設けられ、上側の係合溝６０内に係合部材４７の上側の係合ピン４９が係合され、下側の係合溝６０内に下側の係合ピン４９が係合される。各係合溝６０は、前面６７側に位置する上下方向を向く直線部６１と、直線部６１の下端に連続して後面６５の方向に湾曲する湾曲部６２とからなり、下側の係合溝６０の両端部は閉塞され、上側の係合溝６０の上端部は被係合部材５６の前面６７側に開口している。
【００４９】
被係合部材５６の下端部には、下方に突出する突出部６９が一体に設けられ、この突出部６９が下框１７の本体部２８の前板３１の段部３２内に係合される。被係合部材５６の前面６７側の縁部には、一段低い段部６８が全高に亘って設けられ、この段部６８内に係合部材４７の表板５４が係合可能に構成されている。
【００５０】
そして、上記のように構成した本実施の形態による浴室建具１にガラリ部材４３を取り付けるには、図８に示すように、支持手段４６の係合部材４７の上側の係合ピン４９を被係合部材５６の上側の係合溝６０内に開口部から挿入させ、下側の係合ピン４９を指、工具等で押すことにより被係合部材５６から離れる方向に変位させ、その状態で下側の係合溝６０の縁部を乗り越えさせて、下側の係合ピン４９を下側の係合溝６０内に係合させる。
【００５１】
そして、上下一対の係合ピン４９、４９を上下一対の係合溝６０、６０の形状に沿って下方にスライドさせて、上下一対の係合ピン４９、４９を上下一対の係合溝６０、６０の下端に当接させることにより、図５及び図７（ａ）に示すように、ガラリ部材４３の上端部が中桟１８の段部（図示せず）内に係合され、下端部が下框１７の上板２９の前端に当接し、両係合部材４７、４７の両表板５４、５４が両被係合部材５６、５６の段部６８、６８内に係合し、換気通路４０の流入口４１が閉塞される。この場合、ガラリ部材４３の表面は、中桟１８の表面、下框１７の表面、及び両縦框２７、２７の表面と面一になるので、浴室建具１の表面を清掃する場合等に作業性を高めることができる。
【００５２】
一方、換気通路４０の流出口４２を開放させるには、下框１７の段部３２内に指を挿入してガラリ部材４３の下端部の湾曲部４４を指で掴み、図６及び図７（ｂ）に示すように、ガラリ部材４３を上方に引き上げることにより、係合部材４７の上下一対の係合ピン４９、４９が被係合部材５６の上下一対の係合溝６０、６０内をその形状に沿って浴室２側にせり出すように上方にスライドし、ガラリ部材４３が係合ピン４９、４９と一体に上方にスライドすると共に、下端が上端よりも浴室２側に突出するように傾斜して浴室２側にせり出し、換気通路４０の流入口４１が開放され、換気通路４０が流入口４１を介して浴室２側に連通し、流出口４２を介して脱衣室３側と連通し、浴室２内が換気通路４０を介して換気されることになる。
【００５３】
さらに、清掃等の際にガラリ部材４３を取り外すには、図６に示すように、ガラリ部材４３を上方にスライドさせて上端に位置させ、上側の係合ピン４９を上側の係合溝６０の開口部から外に脱出させ、下側の係合ピン４９を指、工具等により押すことにより縦框２７から離れる方向に変位させ、下側の係合溝６０から脱出させる。
【００５４】
このようにして、ガラリ部材４３を浴室建具１から取り外すことにより、浴室建具１の水切り部３８の全体が開放されることになるので、水切り部３８の隅々まで清掃することができる。
【００５５】
上記のように構成した本実施の形態による浴室建具にあっては、扉１１の中桟と両縦框と下框とによって囲まれる部分に、浴室２側のほぼ全面が開口し、脱衣室３側の一部が開口する換気通路４０を形成し、この換気通路４０の開口部（流入口４１）を、ガラリ部材４３を上下方向にスライドさせると共に、下端が上端よりも浴室２側に突出するように傾斜させて浴室２側にせり出させることにより、開閉させるように構成したので、換気通路４０の開閉の際に換気通路４０内にガラリ部材４３が位置するようなことはない。従って、換気効率を高めることができるので、大容量の換気扇を使用した場合であっても扉が開いてしまうようなことはない。
【００５６】
また、ガラリ部材４３を取り外して清掃を行う際に、換気通路４０の流入口４１の全面を開放させることができるので、換気通路４０の隅々まで綺麗に清掃することができ、清掃の際の作業効率を大幅に高めることができるとともに、換気通路４０内に汚れが溜るのを防止できる。
【００５７】
なお、前記の説明においては、扉１１の下端部にガラリ構造３０を設けたが、扉１１の上端部にガラリ構造３９を設けても良いものであり、その場合にも、前述したものと同様の作用効果を奏するのは勿論のことである。
【００５８】
また、前記の説明においては、ガラリ部材４３側に係合ピン４９を設け、縦框２７側に係合ピン４９を係合させる係合溝６０を設けたが、ガラリ部材４３側に係合溝６０を設け、縦框２７側に係合溝６０に係合させる係合ピン４９を設けてもよい。
【図面の簡単な説明】
【００５９】
【図１】本発明による浴室建具の一実施の形態の浴室側から見た姿図である。
【図２】図１の横断面図である。
【図３】図１の縦断面図である。
【図４】図３の部分拡大図である。
【図５】ガラリ構造の浴室側から見た斜視図であって、ガラリ部材を閉じた状態を示した斜視図である。
【図６】ガラリ構造の浴室側から見た斜視図であって、ガラリ部材を開いた状態を示した斜視図である。
【図７】ガラリ部材の開閉状態を示した模式図であり、（ａ）は閉じた状態、（ｂ）は開いた状態を示した模式図である。
【図８】ガラリ部材側の係合部材と縦框側の被係合部材との関係を示した斜視図である。
【図９】係合部材の斜視図である。
【図１０】図９のＡ矢視図である。
【図１１】被係合部材の斜視図である。
【図１２】図１１のＣ矢視図である。
【符号の説明】
【００６０】
１  浴室建具、  ２  浴室、  ３  脱衣室、  ４  浴室折戸、  ５  開口部、
６  折戸枠、  ７  上枠、  ８  下枠、  ９  縦枠、  １０  出入口、
１１  扉、  １２  左扉体、  １３  右扉体、  １４  連結部材、  １５  面材、
１６  上框、  １７  下框、  １８  中桟、  １９  本体部、  ２０  上板、
２１  下板、  ２２  前板、  ２３  凹部、  ２４  後板、  ２５  起立板、
２６  把手、  ２７  縦框、  ２８  本体部、  ２９  上板、  ３０  下板、
３１  前板、  ３２  段部、  ３３  後板、  ３４  起立板、  ３６  後垂下板、
３７  前垂下板、  ３８  水返し部、  ３９  ガラリ構造、  ４０  換気通路、
４１  流入口、  ４２  流出口、  ４３  ガラリ部材、  ４４  湾曲部、
４５  被係合部、  ４６  支持手段、  ４７  係合部材、  ４８  ピン支持部、
４９  係合ピン、  ５０  固定部、  ５１  側板、  ５２  補強壁、
５３  切り込み、  ５４  表板、  ５５  係合片、  ５６  被係合部材、
５７  係合溝、  ５８  段部、  ５９  係合溝、  ６０  係合溝、
６１  直線部、  ６２  湾曲部、  ６５  後面、６６  一方の側面、
６７  前面、  ６８  段部、  ６９  突出部
【図１】
0004732083.tif 000002
【図２】
0004732083.tif 000003
【図３】
0004732083.tif 000004
【図４】
0004732083.tif 000005
【図５】
0004732083.tif 000006
【図６】
0004732083.tif 000007
【図７】
0004732083.tif 000008
【図８】
0004732083.tif 000009
【図９】
0004732083.tif 000010
【図１０】
0004732083.tif 000011
【図１１】
0004732083.tif 000012
【図１２】
0004732083.tif 000013